(57)【特許請求の範囲】
【請求項１】
フレームに掻き上げ体を回動自在に支持し、フレームにおける掻き上げ体の後部に塵取部を支持し、
塵取部は床面に接する底面部と、掻き上げ体が掻き上げるゴミをガイドするすくい面部と、ゴミを受けるゴミ受け部とを有してなる清掃具であって、
塵取部における掻き上げ体に近い側の一端を概ね上下に沿う揺動部とし、
塵取部における掻き上げ体から遠い側の他端を係脱ピンによりフレームから開放可能に支持し、上記係脱ピンを塵取部の揺動の中心軸とするとともに、塵取部の上記揺動部を塵取部の開放の中心軸とし、
塵取部のゴミ受け部をフレームから開放可能に支持した清掃具。
【請求項２】
前記塵取部における掻き上げ体に近い側の一端を自重により変位させる請求項１に記載の清掃具。
【請求項３】
前記掻き上げ体が、タイヤ部と、タイヤ部のタイヤ径より大径の可撓掻き上げ部からなる請求項１又は２に記載の清掃具。
【請求項４】
前記塵取部の揺動部がピンと長孔にて構成される請求項１〜３のいずれかに記載の清掃具。
【請求項５】
前記掻き上げ体に並べて接触回転体を回動自在に設け、それらに跨る粘着ロールを備えた請求項１〜４のいずれかに記載の清掃具。
【請求項６】
前記塵取部が接触回転体を床に対して遮断するように設けられた請求項５に記載の清掃具。
【発明の詳細な説明】
【０００１】
【発明の属する技術分野】
本発明は清掃具に関する。
【０００２】
【従来の技術】
清掃具として、特開平１−２６２８２７号公報に記載の如く、フレームに掻き上げ体を回動自在に支持し、フレームにおける掻き上げ体の後部に塵取部を支持してなるものがある。
【０００３】
【発明が解決しようとする課題】
塵取部がフレームに対し掻き上げ体と独立に上下に揺動しない。このため、清掃具を毛足の長いカーペットの清掃に使用したとき、塵取部がカーペットの上面を滑るに従い、掻き上げ体もカーペットの上面を滑るだけになってしまい、カーペットの毛足の中に埋もれたゴミを掻き上げ体で掻き上げることができない。尚、掻き上げ体がカーペットの毛足に潜るべく、使用者により強い力で掻き上げ体を押し付けると、塵取部がカーペットに強く押圧されて大きな前進の抵抗となり、操作性が悪くなる。
【０００４】
本発明の課題は、塵取部を床面の上にスムースに滑らせながら、掻き上げ体は毛足の長いカーペットの毛足の中に埋もれたゴミでも確実に掻き上げ可能とすることある。
【０００５】
【課題を解決するための手段】
請求項１に記載の発明は、フレームに掻き上げ体を回動自在に支持し、フレームにおける掻き上げ体の後部に塵取部を支持し、塵取部は床面に接する底面部と、掻き上げ体が掻き上げるゴミをガイドするすくい面部と、ゴミを受けるゴミ受け部とを有してなる清掃具であって、塵取部における掻き上げ体に近い側の一端を概ね上下に沿う揺動部とし、塵取部における掻き上げ体から遠い側の他端を係脱ピンによりフレームから開放可能に支持し、上記係脱ピンを塵取部の揺動の中心軸とするとともに、塵取部の上記揺動部を塵取部の開放の中心軸とし、塵取部のゴミ受け部をフレームから開放可能に支持したものである。
【０００６】
【発明の実施の形態】
清掃具１０は、図１に示す如く、柄１１の先端部に継手部１２を介して支持アーム１３を左右方向に揺動自在に結合し、支持アーム１３の両側アーム部１３Ａに支軸部１４を介してフレーム１５を前後方向に揺動自在に支持している。
【０００７】
フレーム１５の前部にはブラシからなる可撓掻き上げ体１６が回転軸１７を介して回動自在に支持され、フレーム１５の後部にはロール体からなる接触回転体１８が回転軸１９を介して回動自在に支持され、掻き上げ体１６と接触回転体１８は平行に並べられて配置される。掻き上げ体１６は、掻き上げ部１６Ａ（ブラシ部）とタイヤ部１６Ｂからなり、掻き上げ部１６Ａの掻き上げ径（ブラシ径）をタイヤ部１６Ｂのタイヤ径より大きくしている。接触回転体１８は、ロール状の接触部１８Ａとタイヤ部１８Ｂからなり、接触部１８Ａの外径よりタイヤ部１８Ｂの外径を大きくし、両側タイヤ部１８Ｂを後述する塵取部２３の両外側にて床面上を転動可能にし、タイヤ部１８Ｂを塵取部２３の内側に配置させる。これにより、接触部１８Ａが塵取部２３により床から遮断され、床側の毛羽等が接触部１８Ａに付着することを防止する。タイヤ部１８Ｂは塵取部２３の外に位置する。尚、接触回転体１８の接触部１８Ａには、その表面に凹凸部を設けても良い。凹凸部とは、接触部１８Ａのロール表面にリブや凸部、凹部、しぼ面等を設けたことをいう。
【０００８】
掻き上げ体１６と接触回転体１８の上には、それらに跨がる粘着ロール２１が乗せられ、粘着ロール２１は掻き上げ体１６と接触回転体１８の回転に連れ回る。フレーム１５の上部は粘着ロール２１の出し入れ口とされ、取外し可能な透明カバー１５Ａにより被覆される。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【０００９】
フレーム１５における掻き上げ体１６の後部には塵取部２３が支持されている。塵取部２３は、床面に接する底面部２３Ａと、掻き上げ体１６に隙間なく（又は隙間を介して）相対する曲面状（又は平面状）のすくい面部２３Ｂと、凹状のゴミ受け部２３Ｃを有する。更に塵取部２３は前述の如く接触回転体１８の接触部１８Ａを床から遮断するように配置されている。塵取部２３は、フレーム１５に後述する如くに上下に揺動可能に支持され、自重により底面部２３Ａとすくい面部２３Ｂの最下端部を床面に隙間なく接し、掻き上げ体１６の掻き上げ部１６Ａが掻き上げるゴミを床面に沿う後方に逃がすことなく、その全てのゴミをすくい面部２３Ｂにより粘着ロール２１の側にガイドし、大きなゴミはゴミ受け部２３Ｃに送り込む。
【００１０】
清掃具１０による清掃動作は以下の通りなされる。
（１）柄１１の軸方向に加える操作力により清掃具１０を前進させ、掻き上げ体１６及び接触回転体１８を回動させ、同時に粘着ロール２１を連れ回り回転させる。
【００１１】
（２）掻き上げ体１６の掻き上げ部１６Ａが床面上のゴミを掻き上げると、このゴミは塵取部２３にガイドされて粘着ロール２１の側に送り出され、粘着ロール２１の粘着面に吸着捕捉される。
【００１２】
（３）粘着ロール２１の粘着面に捕捉されたゴミは、粘着ロール２１の回動とともに接触回転体１８の側に移動し、接触回転体１８により粘着ロール２１の粘着面に押付けられて固定化される。
【００１３】
（４）透明カバー１５Ａから粘着ロール２１の粘着面の全周に多量のゴミが捕捉されたことが視認されたら、カバー１５Ａを開いて粘着シート２１Ａの１周分を剥離切断除去し、新規粘着面を露出せしめた後、カバー１５Ａを閉じる。
【００１４】
尚、清掃具１０は前進だけでなく、後進もできる。塵取部２３は、底面部２３Ａの尾端部をアール状に跳ね上げ、後進時にこの尾端部が床面に引掛かるのを防止する。
【００１５】
上記清掃具１０によれば、カーペットは掻き上げ体１６によりゴミを掻き上げられ、このゴミをその後粘着ロール２１に吸着捕捉される。粘着ロール２１がカーペットに直接接触しないから、カーペットを傷めることがなく、カーペットの繊維の深い部分に沈んでいるゴミも捕捉できるし、粘着ロール２１の粘着性能の持続性も向上する。
【００１６】
また、フローリングにおいても、カーペットと同様であり、粘着ロール２１がフローリングに直接接触しないから、粘着ロール２１がフローリングに強力に粘着して固定化してしまうことがない。
【００１７】
以下、フレーム１５による塵取部２３の支持構造について説明する。（図１〜図３）
【００１８】
塵取部２３をフレーム１５に対し、掻き上げ体１６とは独立に上下に揺動可能に支持するとともに、塵取部２３のゴミ受け部２３Ｃをフレーム１５から開放可能に支持した。
【００１９】
具体的には、図２に示す如く、塵取部２３における掻き上げ体１６に近い側の前端を揺動部４０（塵取部２３の前端側両側面に設けたピン４１を、フレーム１５の両側壁に設けた長孔４２の中で上下動可能に係入したもの）によりフレーム１５に揺動可能に支持する。また、塵取部２３における掻き上げ体１６から遠い側の後端に設けた係脱部５０の孔５１を、フレーム１５に設けた係脱可能ピン５２に係脱可能にし、孔５１を係脱可能ピン５２から外して塵取部２３の後端をフレーム１５から開放可能に支持する。塵取部２３の孔５１をフレーム１５の係脱可能ピン５２に係入した状態で、係脱可能ピン５２を塵取部２３の揺動の中心軸とし、塵取部２３の孔５１をフレーム１５の係脱可能ピン５２から外した状態で、揺動部４０を塵取部２３の開放の中心軸とする。
【００２０】
従って、このような清掃具１０によれば以下の作用がある。
▲１▼塵取部２３を掻き上げ体１６とは独立に揺動可能としたから、清掃具１０を毛足の長いカーペットに使用したとき、掻き上げ体１６がカーペットの毛足の中に潜ってゴミを掻き上げながらも、塵取部２３はカーペットの上面を滑るように移動して前進の抵抗にならず、操作性が良い。
【００２１】
▲２▼塵取部２３のゴミ受け部２３Ｃをフレーム１５から開放可能に支持したから、ゴミ受け部２３Ｃを下向きに開放して該ゴミ受け部２３Ｃに捕集したゴミを適宜に排出除去できる。
【００２２】
▲３▼掻き上げ体１６が掻き上げ部１６Ａと、タイヤ部１６Ｂからなるとき、タイヤ部１６Ｂがカーペットの毛足の中に潜っても、塵取部２３はカーペットの上面を滑るように移動して前進の抵抗にならない。
【００２３】
▲４▼塵取部２３の一端に揺動部４０を、他端に開放のための係脱可能ピン５２を設けた。塵取部２３の揺動部４０を、該塵取部２３を開放するための係脱部にしないので、揺動部４０に脱着起因の摩耗等がなく、清掃時に力がかかる塵取部２３の揺動部４０を摩耗のない安定揺動状態（外れない状態）に維持できる。
【００２４】
▲５▼塵取部２３が接触回転体１８の接触部１８Ａを床から遮断し、接触部１８Ａが直接床に臨まないようにしたため、接触部１８Ａが静電気により、床側の余分な毛羽等を吸着することがなく、この接触部１８Ａが接する粘着ロール２１の粘着シートが長持ちする。
【００２５】
（その他の作用）
（１）接触回転体１８のタイヤ部１８Ｂは塵取部２３の外側に位置し、タイヤ部１８Ｂの外径は接触部１８Ａの外径より大きいため、タイヤ部１８Ｂは清掃具の重量により床面に押し付けられて回転し、接触部１８Ａを確実に回転させる。接触回転体１８は粘着ロール２１と接触して該粘着ロール２１を確実に連れ回り回転させる。従って、掻き上げ体１６に接する粘着ロール２１の粘着面を回転により均一かつ効率よく有効活用できるし、掻き上げ体１６が掻き上げたゴミを粘着ロール２１の新規吸着面により確実に吸着捕捉可能とする。このとき、粘着ロール２１を掻き上げ体１６と接触回転体１８の上に跨らせるから、大小数種類のどのような外径の粘着ロール２１も清掃具１０に装填できる。よって、粘着ロール２１の外径寸法に製造上の自由度が得られ、床状態に応じて、適切な外径の粘着ロール２１を選択できる。
【００２６】
（２）掻き上げ体１６がカーペットの繊維の深い部分から掻き上げるゴミも、フローリングの硬い平坦面から後方に掻き飛ばすゴミも、掻き上げ体２１の後部の塵取部２３にすくい上げられて確実に粘着ロール２１の方向にガイドされ、集塵性能を向上できる。
【００２７】
（３）掻き上げ体１６がタイヤ部１６Ｂを備えるから、タイヤ部１６Ｂは清掃具１０の重量により床面に押付けられて回転し、掻き上げ体１６を確実に回転させる。掻き上げ径をタイヤ径より大きくしたから、掻き上げ部１６Ａは弾性たわみの復元に基づく掻き上げ力によりゴミを強力に掻き上げ、掻き上げ性能を向上するし、カーペットの繊維の深い部分のゴミも良く掻き出しできる。
【００２８】
（４）接触回転体１８を備えることにより、粘着ロール２１に粘着捕捉されているゴミを該粘着ロール２１の粘着面に良く押付け固定化できる。
【００２９】
（５）粘着ロール２１の粘着力が強い場合、粘着ロール２１と接触回転体１８の接触部１８Ａが連れ回り回転するため、回転しにくく、操作が重くなる。そこで、接触回転体１８の接触部１８Ａの表面に凹凸部を設ける。凹凸部とは、接触回転体１８の接触部１８Ａの表面にリブや凸部、凹部、しぼ面等を設けたことをいう。本実施例では、最低２ヵ所以上凹凸部を設けることにより、回転を軽くすることができる。即ち、接触回転体１８に凹凸部を設けることは、粘着ロール２１と接触回転体１８との間にすき間を形成することとなり、両者の接触面積を減らし、操作性を向上させることが可能となる。粘着ロール２１と接触回転体１８とが密着せずに接触回転体１８に付着したゴミが粘着ロール２１に転写するために、好ましい凹凸部の高さは、０．１〜０．５ｍｍ、より好ましくは０．２〜０．４ｍｍである。
【００３０】
本発明で使用される粘着ロールとして、コアロールに筒状シートを着脱可能に被せるものを使用しても良い。このとき、筒状シートの原形は、枚葉型の封筒状シートをなすものとし、多数の封筒状シートを互いに積層して保管することができる。
【００３１】
また、本発明において、掻き上げ体は、ブラシに限らず、スポンジ、ゴムブレード、エラストマー、弾性突起体等でも良い。
【００３２】
また、本発明において、接触回転体は、ロール体に限らず、タイヤ等でも良い。
【００３３】
また、本発明において、床面とは、畳、フローリング、カーペット等で、特にカーペットに対し顕著で特有な効果を奏する。
【００３４】
【発明の効果】
以上のように本発明によれば、塵取部を床面の上にスムースに滑らせながら、掻き上げ体は毛足の長いカーペットの毛足の中に埋もれたゴミでも確実に掻き上げ可能とすることができる。
【図面の簡単な説明】
【図１】図１は清掃具を示す模式図である。
【図２】図２はフレームと塵取部の係脱部を示す模式図である。
【図３】図３は清掃具の分解斜視図である。
【符号の説明】
１０  清掃具
１５  フレーム
１６  掻き上げ体
１６Ａ  掻き上げ部
１６Ｂ  タイヤ部
２３  塵取部
２３Ａ  底面部
２３Ｂ  すくい面部
２３Ｃ  ゴミ受け部
４０  揺動部
５２  係脱可能ピン
【図１】
0003610328.tif 000002
【図２】
0003610328.tif 000003
【図３】
0003610328.tif 000004